(57)【要約】【課題】簡単な構成で、横置きに載置した円盤状物を縦の状態に変換して連続投入可能な円盤状物投入装置を提供する。【解決手段】メダル１６を転動して投入するメダル投入装置３０であって、姿勢変換部３６により横置き状態で供給されたメダル１６を転動可能に縦状態に変換して投入レール３８上を転動させながら縦状態で投入する。【選択図】        図２
2004298374.tif 000002
【特許請求の範囲】
【請求項１】
円盤状物を転動させて投入する円盤状物投入装置であって、横置き状態で供給された前記円盤状物を転動可能に縦状態に変換する姿勢変換部を有することを特徴とする円盤状物投入装置。
【請求項２】
請求項１において、
前記姿勢変換部は、横置き状態で供給された前記円盤状物をスライドさせながら自重で縦状態に変換することを特徴とする円盤状物投入装置。
【請求項３】
請求項１または２において、
円盤状物を横置き状態で複数貯留できる貯留部をさらに備え、円盤状物を前記貯留部から横置き状態で供給可能としたことを特徴とする円板状物投入装置。
【請求項４】
請求項１〜３のいずれかにおいて、
所定寸法の円盤状物のみを通過させる円盤状物選別部を前記姿勢変換部の姿勢変換位置よりも投入方向上流側に有することを特徴とする円盤状物投入装置。
【請求項５】
請求項１〜４のいずれかにおいて、
供給された前記円盤状物を通過経路の一方の壁部に接触させて転動させるように、前記通過経路を形成したことを特徴とする円盤状物投入装置。
【請求項６】
請求項１〜５のいずれかにおいて、
前記姿勢変換部は、横置き状態で供給された前記円盤状物の側部を押下して姿勢変換の補助を行う変換補助部を有することを特徴とする円盤状物投入装置。
【請求項７】
請求項６において、
前記変換補助部は、前記円盤状物の通過経路下流側に配設されることを特徴とする円盤状物投入装置。
【請求項８】
請求項１〜７のいずれかにおいて、
前記姿勢変換部は、操作テーブル上に配設されることを特徴とする円盤状物投入装置。
【発明の詳細な説明】
【０００１】
【発明の属する技術分野】
本発明は、円盤状物投入装置に関し、特に、円盤状物を転動させて投入する円盤状物投入装置に関する。
【０００２】
【背景技術】
一般に、円盤状物投入装置を用いるものとしては、例えばメダルプッシャーゲーム装置が知られている。
【０００３】
このメダルプッシャーゲームにおいては、メダルを投入して傾斜したレール上を転動させ、縦の状態でフィールド内へ送り込むようになっている。
【０００４】
このメダルの投入は縦置きに１枚ずつ行うものが一般的である（特許文献１参照）。
【０００５】
しかし、メダルを縦置きに１枚ずつ投入するのでは、メダルを連続的に投入することは難しい。
【０００６】
そこで、メダル複数枚を縦置きに装填可能にしたメダル装填部を備えたものを提案している（特許文献２参照）。
【０００７】
【特許文献１】
特許第３２７６２４４号公報
【特許文献２】
特開２００１−１３７５３２号公報
【０００８】
【発明が解決しようとする課題】
しかし、前述のようなメダル装填部は、メダルを不安定な縦置きに装填するため、プレーヤは手元を常に確認する必要があり、また、メダル装填部の大きさには限界があるため、メダル皿等から何度も装填しなければならない。
【０００９】
本発明の目的は、簡単な構成で、横置きに載置した円盤状物を縦の状態に変換して連続投入可能な円盤状物投入装置を提供することにある。
【００１０】
【課題を解決するための手段】
前記目的を達成するため、本発明の円盤状物投入装置は、円盤状物を転動させて投入する円盤状物投入装置であって、
横置き状態で供給された前記円盤状物を転動可能に縦状態に変換する姿勢変換部を有することを特徴とする。
【００１１】
本発明によれば、姿勢変換部によって横置き状態で供給された円盤状物を縦状態に変換して転動させて投入することで、手元を確認することなく円盤状物を楽に投入することができ、しかも、簡単な構成で実現することができる。
【００１２】
本発明においては、前記姿勢変換部は、横置き状態で供給された前記円盤状物をスライドさせながら自重で縦状態に変換するようにすることができる。
【００１３】
このような構成とすることにより、横置き状態で供給された円盤状物をスライドさせながら自重で縦状態に変換することで、より簡単な構成で、確実に縦状態に変換することができる。
【００１４】
本発明においては、円盤状物を横置き状態で複数貯留できる貯留部をさらに備え、円盤状物を前記貯留部から横置き状態で供給可能とすることかできる。
【００１５】
このような構成とすることにより、円盤状物を頻繁に装填し直すことなく、連続して投入することができる。
【００１６】
本発明においては、所定寸法の円盤状物のみを通過させる円盤状物選別部を前記姿勢変換部の姿勢変換位置よりも投入方向上流側に有するものとすることができる。
【００１７】
このような構成とすることにより、円盤状物選別部にて所定寸法の円盤状物以外の不適正な円盤状物の投入を排除することができ、しかも、円盤状物選別部を姿勢変換部よりも投入方向上流側に設けることで、円盤状物が減速して詰まりの原因になるのを防止することができる。
【００１８】
本発明においては、供給された前記円盤状物を通過経路の一方の壁部に接触させて転動させるように、前記通過経路を形成することができる。
【００１９】
このような構成とすることにより、供給された円盤状物を通過経路の一方の壁部に接触させて転動させることで、円盤状物が通過経路上を一点で接触する状態で通過させてスピンをかける状態として、回転力を付与することができ、円盤状物の減速状態を防止して詰まりの原因になるのを防止することができる。
【００２０】
本発明においては、前記姿勢変換部は、横置き状態で供給された前記円盤状物の側部を押下して姿勢変換の補助を行う変換補助部を有するものとすることができる。
【００２１】
このような構成とすることにより、補助変換部より円盤状物の通過時に強制的に円盤状物を縦状態に変換することができ、円盤状物の縦状態への変換を確実に行うことができる。
【００２２】
この場合、前記変換補助部は、前記円盤状物の通過経路下流側に配設される状態とすることができる。
【００２３】
このような構成とすることにより、通過経路を下流側に変換補助部を配設することで、変換補助部が円盤状物の通過抵抗となる場合でも、通過速度の上昇した通過経路下流側で変換補助を行わせることにより、円盤状物を減速させることなく通過させて、詰まりの原因となるのを防止することができる。
【００２４】
本発明においては、前記姿勢変換部は、操作テーブル上に配設される状態とすることができる。
【００２５】
このような構成とすることにより、姿勢変換部で円盤状物の詰まりが発生した場合に、操作者が自ら操作テーブル上で詰まった円盤状物を除去することができ、メンテナンス性を向上させることができる。
【００２６】
【発明の実施の形態】
以下、本発明の実施の形態について図面を参照して説明する。
【００２７】
図１〜図４は、本発明の一実施の形態に係る円盤状物投入装置を示す図である。
【００２８】
図１は、本発明の一実施の形態に係る円盤状物投入装置を用いたメダルプッシャーゲーム装置を示す斜視図である。
【００２９】
このメダルプッシャーゲーム装置１０は、筐体１２の上面に透明なカバー１４が取り付けられ、内部に円盤状物であるメダル１６を多数載置したゲームフィールド１８が配設されている。
【００３０】
ゲームフィールド１８上には、その奥側位置に前後方向に往復動を行ってゲームフィールド１８上のメダル１６を奥側から手前側に押し出すプッシャープレート２０が設けられている。
【００３１】
さらに、筐体１２の前面上部には、操作テーブル２６が設けられている。
【００３２】
この操作テーブル２６には、貯留部である中央のメダル皿２８の両側に２つの円盤状物投入装置であるメダル投入装置３０が設けられ、２人のプレーヤがメダル皿２８を共通にして同時にメダルプッシャーゲームを楽しめるようになっている。
【００３３】
また、ゲームフィールド１８の手前側端にメダル１６の落下口２２が配設され、この落下口２２にメダル１６が落下すると、それに応じた獲得メダル１６がメダル皿２８の奥側中央に設けられた払い出し口２４から払い出され、メダル皿２８に溜まるようになっている。
【００３４】
貯留部であるメダル皿２８は、断面ほぼ台形状に窪んだほぼ椀形状に形成されている。
【００３５】
このメダル皿２８は、両側のメダル投入装置３０側のメダル投入口３２と通路３４にてそれぞれ連結され、この通路３４によりメダル皿２８からメダル投入口３２へとメダル１６を横置き状態のまま移動可能にしている。
【００３６】
また、通路３４の各メダル投入口３２付近には、メダル投入口３２に向かって下降傾斜する傾斜部４０が設けられ、メダル１６が傾斜部４０でスライドして自重でメダル投入口３２に入り込めるようになっている。
【００３７】
従って、プレーヤは手元を見ることなく、横置きのまま連続してメダル１６をメダル皿２８からメダル投入口３２へと容易に移動させることができる。
【００３８】
メダル投入装置３０は、図２及び図３にも示すように、姿勢変換部３６と、投入レール３８とを有する。
【００３９】
姿勢変換部３６は、メダル投入口３２に接して筐体１２内に設けられ、横置き状態でメダル投入口３２から供給されたメダル１６を転動可能に縦状態に姿勢を変換するようになっている。
【００４０】
具体的には、この姿勢変換部３６は、図４に示すように、縦路プレート４２と、この縦路プレート４２上に重ねられた姿勢変換プレート４４と、この姿勢変換プレート４４上に重ねられた２枚の通過位置規制プレート４６と、この通過位置規制プレート４６上に重ねられたカバープレート４８とを有している。
【００４１】
縦路プレート４２は、メダル１６の投入方向Ａ（図１参照）に沿ってほぼＶ字状の縦路５０が曲折形成された状態となっている。
【００４２】
この縦路５０は、一方の壁５２が垂直、他方の壁５４が傾斜状態で形成された状態となっている。
【００４３】
姿勢変換プレート４４は、メダル１６の投入方向Ａに沿って姿勢変換溝５６が形成された状態となっている。
【００４４】
この姿勢変換溝５６は、投入方向Ａの上流側でメダル１６の直径よりも若干幅狭な状態となっており、下流側で傾斜辺５８によって徐々に幅が狭められ、下流端でメダル１６の厚さにほぼ相応した間隔とされている。
【００４５】
通過位置規制プレート４６は、メダル１６の直径にほぼ相応した間隔で姿勢変換溝５６に沿って取り付けられる状態となっている。
【００４６】
カバープレート４８は、投入方向に沿った溝６０が形成された状態となっており、この溝６０の一辺に横置き状態で供給されたメダル１６の側部を押下して姿勢変換の保持を行う変換補助部６２が形成されている。
【００４７】
この変換補助部６２は、溝６０の一辺を下方に折り曲げて爪状に形成したもので、投入方向Ａの上流側から下流側にかけて徐々に突出量を大きくしたテーパ状のものとされている。
【００４８】
また、この変換補助部６２は、メダル１６の通過経路下流側に配設され、メダル１６の通過時の速度を減速させないようにしている。
【００４９】
投入レール３８は、断面コ字状のもので、姿勢変換部３６の下流端に取り付けられ、筐体１２の奥側へと下降傾斜した状態となっており、メダル１６を縦型で、転動させつつプッシャープレート２０側へとメダル１６を投入し得るようになっている。
【００５０】
次に、このようなメダル投入装置３０を用いてメダル１６を投入する状態を図３に基づいて説明する。
【００５１】
まず、メダル皿２８に横型で載置したメダル１６を、メダル皿２８から通路３４を通して横置きのまま、図３（１）に示すように、メダル投入口３２まで導く。
【００５２】
次いで、図３（２）に示すように、メダル１６を横型のままメダル投入口３２へ供給する。
【００５３】
メダル投入口３２より供給されたメダル１６は、図３（３）に示すように、通過位置規制プレート４６によって通過位置を規制された状態で、姿勢変換プレート４４上をスライドしつつ姿勢変換溝５６によって自重で傾きながら移動し、変換補助部６２位置までくると、変換補助部６２によってメダル１６の側部を押下された姿勢変換の補助動作が行われる。
【００５４】
次に、図３（４）に示すように、変換補助部６２をメダル１６が通過すると、メダル１６の片側が縦路プレート４２の縦路５０内に落ち込んだ状態で転動するとともに、姿勢変換プレート４４の姿勢変換溝５６の傾斜辺５８によって一方の壁５２側に寄せられ、姿勢変換溝５６の下流端では、図３（５）に示すように縦状態に変換される。
【００５５】
そして、姿勢変換溝５６の下流端を通過した縦状態のメダル１６は、投入レール３８へと移行して投入レール３８上を転動しながら縦状態で投入されることとなる。
【００５６】
このように、メダル１６は、姿勢変換部３６内で横置き状態から縦状態に自重で姿勢変換されながら投入レール３８へと移行し投入されることとなる。
【００５７】
従って、横置きでメダル１６をメダル投入装置３０に供給すればよく、連続投入が可能となる。
【００５８】
図５〜図７には、本発明の他の実施の形態に係るメダル投入装置を示す。
【００５９】
この実施の形態では、姿勢変換部７０を縦路プレート７２と、姿勢変換プレート７４と、２枚の通過位置規制プレート７６ａ、７６ｂと、カバープレート７８とを重ね合わせて構成している。
【００６０】
縦路プレート７２は、ほぼＶ字状の縦路８０を曲折形成したもので、一方の壁８２が傾斜状態とされ、他方の壁８４が垂直状態として形成されている。
【００６１】
姿勢変換プレート７４は、姿勢変換溝８６を投入方向に沿って形成するとともに、この姿勢変換溝８６の上流側にメダル選別用孔部８８を形成するようにしている。
【００６２】
２枚の通過位置規制プレート７６ａ、７６ｂは、メダル１６の通過経路を投入方向に対して斜めに形成し、姿勢変換溝８６位置で投入方向に沿う状態になるように形成されている。
【００６３】
また、通過位置規制プレート７６ａ、７６ｂの端面が壁部としての役割も果たす。
【００６４】
また、一方の通過位置規制プレート７６ａのメダル選別用孔部８８対応位置には、メダル１６の一部を支持する支持プレート９０が取り付けられ、この支持プレート９０とメダル選別用孔部８８とにより所定寸法のメダル１６のみを通過させる円盤状物選別部であるメダル選別部９２として構成している。
【００６５】
このメダル選別部９２は、姿勢変換溝８６よりも上流側に設けることで、姿勢変換後に選別部を設けることによるメダル１６の姿勢変換後の減速を防止し、メダル１６の詰まりの原因となるのを防止するようにしている。
【００６６】
また、通過位置規制プレート７６ａ、７６ｂによりメダル１６の通過経路を投入方向Ａに対して斜めに形成することで、供給されたメダル１６を通過経路の一方の壁部となる通過位置規制プレート７６ａと確実に一点で接触させて転動させることができ、そこからメダル１６に対して回転力を付与し加速できることで、メダル１６の詰まりの原因となるのを防止するようにしている。
【００６７】
そして、図５に示すように、メダル１６を横置き状態で姿勢変換部７０に供給すると、メダル１６がメダル選別用孔部８８上を通過する際に、正規のメダル１６よりも小径のメダルが投入された場合に、このメダル選別用孔部８８より下方に落下させて排除し、正規の大きさのメダル１６のみを通過させ、姿勢変換溝８６位置でメダル１６を縦状態に変換し、投入レールへと移行させるようにしている。
【００６８】
なお、一方の通過位置規制プレート７６ａは、調整部である長孔９４にて取り付け位置が調整できるようになっており、これによって正規のメダル１６に対応した位置に調整し得るようにしている。
【００６９】
カバープレート７８は、姿勢変換溝８６対応位置に溝９６が形成された状態となっている。
【００７０】
他の構成及び作用は前記実施の形態と同様につき説明を省略する。
【００７１】
図８及び図９には、本願発明のさらに他の実施の形態に係るメダル投入装置の姿勢変換部を示す。
【００７２】
この実施の形態では、姿勢変換部１００を操作テーブル２６上における通路３４の下流位置に配設し、メダル１６の姿勢を横置き状態から縦状態に変換した後、縦型のメダル投入口３２に供給し得るようにしている。
【００７３】
この姿勢変換部１００は、通路３４のメダル投入口３２直前に位置する傾斜部４０に形成したもので、傾斜部４０の上部に姿勢変換凹部１０２が形成されてメダル１６を斜めの状態に変換した後、下流側へと続く傾斜壁１０４によって縦状態に変換されてメダル投入口３２へと導かれるようになっている。
【００７４】
これによって、メダル１６が姿勢変換部１００で詰まりを生じた場合に、プレーヤが自ら操作テーブル２６上で詰まったメダル１６を除去でき、メンテナンス性を向上させるようにしている。
【００７５】
他の構成及び作用は前記実施の形態と同様につき説明を省略する。
【００７６】
本発明は、前記実施の形態に限定されるものではなく、本発明の要旨の範囲内において種々の形態に変形可能である。
【００７７】
前記実施の形態では、円盤状物としてメダルを示したが、メダルに限定されるものではなく、トークンなどの円盤状物にも適用することができる。
【００７８】
また、前記実施の形態ではメダルプッシャーゲーム装置として、２つのメダル投入装置を備えたものを示したが、このメダル投入装置は１つでもよく、また、図１で示したようなメダルプッシャーゲーム装置を複数組み合わせたようなメダルプッシャーゲーム装置とすることも可能である。
【図面の簡単な説明】
【図１】本発明の一実施の形態に係るメダル投入装置を用いたメダルプッシャーゲーム装置を示す斜視図である。
【図２】図１の操作テーブル及びメダル投入装置を示す平面図である。
【図３】（１）〜（６）は、それぞれメダル投入装置によりメダルの姿勢変換がなされる状態を示す平面図である。
【図４】図１〜図３の姿勢変換部の分解組み立て図である。
【図５】本発明の他の実施の形態に係るメダル投入装置の姿勢変換部を示す平面図である。
【図６】図５の姿勢変換部のカバープレートを取り外した状態を示す斜視図である。
【図７】図５及び図６の姿勢変換部の分解組み立て図である。
【図８】本発明のさらに他の実施の形態に係る姿勢変換部の操作テーブルへの取り付け状態を示す斜視図である。
【図９】図８の姿勢変換部におけるメダルの姿勢変換状態を示す拡大斜視図である。
【符号の説明】
１０  メダルプッシャーゲーム装置
１６  メダル
１８  ゲームフィールド
２０  プッシャープレート
２２  落下口
２６  操作テーブル
２８  メダル皿
３０  メダル投入装置
３２  メダル投入口
３４  通路
３６、７０、１００  姿勢変換部
３８  投入レール
４４、７４  姿勢変換プレート
５６、８６  姿勢変換溝
６２  変換補助部
８８  メダル選別用孔部
９２  メダル選別部
１０２  姿勢変換用凹部
１０４  傾斜壁
【図１】
2004298374.tif 000003
【図２】
2004298374.tif 000004
【図３】
2004298374.tif 000005
【図４】
2004298374.tif 000006
【図５】
2004298374.tif 000007
【図６】
2004298374.tif 000008
【図７】
2004298374.tif 000009
【図８】
2004298374.tif 000010
【図９】
2004298374.tif 000011